(57)【要約】【課題】ページ単位で印刷された紙文書から容易にハイパーリンク付きページ文書を読み出すようにすること。【解決手段】本発明は、所定の情報へアクセスできるハイパーリンクが付された電子情報を印刷する際、印刷した紙文書からハイパーリンク先の情報へ辿れるようにする情報処理装置において、紙文書の用紙サイズと対応した電子情報のページイメージと略同一のハイパーリンク付きページ文書を生成する文書入力手段３１と、文書入力手段３１で生成されたハイパーリンク付きページ文書に固有のページ識別情報を付けて管理するハイパーリンク付きページ文書管理手段３３と、ハイパーリンク付きページ文書を印刷出力するにあたり、ハイパーリンク付きページ文書管理手段３３で管理されるハイパーリンク付きページ文書ページと対応したページＩＤを出力画像の所定の位置に重畳して出力するページＩＤ重畳手段３４とを備えている。【選択図】図３
2006121255.tif 000002
【特許請求の範囲】
【請求項１】
所定の情報へアクセスできるハイパーリンクが付された電子情報を印刷する際、印刷した紙文書からハイパーリンク先の情報へ辿れるようにする情報処理装置において、
前記紙文書の用紙サイズと対応した前記電子情報のページイメージと略同一のハイパーリンク付きページ文書を生成するページ文書生成手段と、
前記ページ文書生成手段で生成された前記ハイパーリンク付きページ文書に固有のページ識別情報を付けて管理するページ文書管理手段と、
前記ハイパーリンク付きページ文書を印刷出力するにあたり、前記ページ文書管理手段で管理される前記ハイパーリンク付きページ文書ページと対応したページ識別情報を出力画像の所定の位置に重畳して出力するページＩＤ重畳手段と
を備えていることを特徴とする情報処理装置。
【請求項２】
前記ページＩＤ重畳手段で重畳するページ識別情報は可視情報である
ことを特徴とする請求項１記載の情報処理装置。
【請求項３】
前記ページＩＤ重畳手段で重畳するページ識別情報はテキスト形式から成る
ことを特徴とする請求項２記載の情報処理装置。
【請求項４】
所定の情報へアクセスできるハイパーリンクが付された電子文書を印刷する際、印刷した紙文書からハイパーリンク先の情報へ辿れるようにする情報処理装置において、
前記紙文書の用紙サイズと対応した前記電子情報のページイメージと略同一のハイパーリンク付きページ文書を生成するページ文書生成手段と、
前記ページイメージに含まれるハイパーリンクとそのハイパーリンクが付けられている文書要素とを抽出する文書要素抽出手段と、
前記ページ文書生成手段で生成された前記ハイパーリンク付きページ文書に固有のページ識別情報を付けて前記ハイパーリンクと前記文書要素とを管理する文書要素管理手段と、
前記ハイパーリンク付きページ文書を印刷出力するにあたり、前記ページ文書管理手段で管理される前記ハイパーリンク付きページ文書ページと対応したページ識別情報と前記文書要素の用紙上での位置を特定するエリアマークとを出力画像の所定の位置に重畳して出力するページＩＤ重畳手段と
を備えていることを特徴とする情報処理装置。
【請求項５】
前記ページＩＤ重畳手段で重畳するページ識別情報は可視情報である
ことを特徴とする請求項４記載の情報処理装置。
【請求項６】
前記ページＩＤ重畳手段で重畳するページ識別情報はテキスト形式から成る
ことを特徴とする請求項５記載の情報処理装置。
【請求項７】
所定の情報へアクセスできるハイパーリンクが付された電子情報を印刷する際、印刷した紙文書からハイパーリンク先の情報へ辿れるようにする情報処理方法において、
前記紙文書の用紙サイズと対応した前記電子情報のページイメージと略同一のハイパーリンク付きページ文書を生成する工程と、
生成した前記ハイパーリンク付きページ文書に固有のページ識別情報を付けて管理する工程と、
前記ハイパーリンク付きページ文書を印刷出力するにあたり、そのハイパーリンク付きページ文書ページと対応したページ識別情報を出力画像の所定の位置に重畳して出力する工程と
を有することを特徴とする情報処理方法。
【請求項８】
所定の情報へアクセスできるハイパーリンクが付された電子文書を印刷する際、印刷した紙文書からハイパーリンク先の情報へ辿れるようにする情報処理方法において、
前記紙文書の用紙サイズと対応した前記電子情報のページイメージと略同一のハイパーリンク付きページ文書を生成する工程と、
前記ページイメージに含まれるハイパーリンクとそのハイパーリンクが付けられている文書要素とを抽出する工程と、
生成した前記ハイパーリンク付きページ文書に固有のページ識別情報を付けて前記ハイパーリンクと前記文書要素とを管理する工程と、
前記ハイパーリンク付きページ文書を印刷出力するにあたり、そのハイパーリンク付きページ文書ページと対応したページ識別情報と前記文書要素の用紙上での位置を特定するエリアマークとを出力画像の所定の位置に重畳して出力する工程と
を有することを特徴とする情報処理方法。
【請求項９】
所定の情報へアクセスできるハイパーリンクが付された電子情報を印刷する際、印刷した紙文書からハイパーリンク先の情報へ辿れるようにする情報処理プログラムにおいて、
前記紙文書の用紙サイズと対応した前記電子情報のページイメージと略同一のハイパーリンク付きページ文書を生成するステップと、
生成した前記ハイパーリンク付きページ文書に固有のページ識別情報を付けて管理するステップと、
前記ハイパーリンク付きページ文書を印刷出力するにあたり、そのハイパーリンク付きページ文書ページと対応したページ識別情報を出力画像の所定の位置に重畳して出力するステップと
を有することを特徴とする情報処理プログラム。
【請求項１０】
所定の情報へアクセスできるハイパーリンクが付された電子文書を印刷する際、印刷した紙文書からハイパーリンク先の情報へ辿れるようにする情報処理プログラムにおいて、
前記紙文書の用紙サイズと対応した前記電子情報のページイメージと略同一のハイパーリンク付きページ文書を生成するステップと、
前記ページイメージに含まれるハイパーリンクとそのハイパーリンクが付けられている文書要素とを抽出するステップと、
生成した前記ハイパーリンク付きページ文書に固有のページ識別情報を付けて前記ハイパーリンクと前記文書要素とを管理するステップと、
前記ハイパーリンク付きページ文書を印刷出力するにあたり、そのハイパーリンク付きページ文書ページと対応したページ識別情報と前記文書要素の用紙上での位置を特定するエリアマークとを出力画像の所定の位置に重畳して出力するステップと
を有することを特徴とする情報処理プログラム。
【発明の詳細な説明】
【技術分野】
【０００１】
本発明は、所定の情報へアクセスできるハイパーリンク付き電子文書を印刷する際、印刷した紙文書からハイパーリンク先の情報に辿れることを可能にする情報処理装置、情報処理方法および情報処理プログラムに関する。
【背景技術】
【０００２】
近年、コンピュータの普及に伴い、多くの文書が電子的に作成されている。特に、インターネット等に代表されるネットワーク技術の進展により、電子文書の多くは、テキスト、イメージ、グラフィックス等の文書を構成する文書要素に、関連する文書、音声、映像等の情報（以下「関連情報」という。）を結び付けるためのハイパーリンクを有した形態を採っている。
【０００３】
例えば、印刷に適した文書フォーマットとして有名なＰＤＦ(Portable Document Format)もハイパーリンクを含むことができ、モニタで閲覧する際は、マウスと呼ばれる指示器でその文書を構成する文書要素を指し示すことで、その文書要素の関連情報を即座に閲覧あるいは再生することができる。しかし、この電子文書を用紙にプリントアウトした場合には視認できる情報だけが用紙に印字され、ハイパーリンクは用紙には残らず、ハイパーリンクという電子文書の特長が失われてしまう。
【０００４】
そのため、このような問題を解消すべく、ハイパーリンク付き電子文書を印刷出力する際には、ハイパーリンクについての情報を紙上に埋め込むことで、その紙文書から関連する電子情報へのアクセスを可能にする技術が従来から提案されている。例えば、特許文献１には、ＨＴＭＬ（Hyper Text Markup Language）文書中のＵＲＬ（Uniform Resource Locator）を２次元コード化した画像に変換し、この画像を参照部分（当該ＵＲＬの部分）の直後に挿入して印刷出力するシステムが開示されている。このシステムによれば、ユーザがリンク先の関連情報にアクセスする際には、２次元コード化した画像部分をカメラで読み取り、その２次元コードを解析してＵＲＬに変換することで、その関連情報へのアクセスを行うようになっている。
【０００５】
また、本出願人は、特許文献２において、どのようなハイパーリンク付き電子文書であっても、その体裁を崩さずに、関連情報にアクセスするための情報を対応する画像要素に埋め込み、関連情報に即座にアクセスすることを可能とする、画像処理装置および被画像形成媒体を提案している。この画像処理装置によれば、関連情報を特定するための参照情報が、画像要素に少なくとも一部が重なって埋め込まれるので、その参照情報の埋め込みによって画像の体裁が崩れてしまうことがない。従って、この画像処理装置を用いれば、例えば出力された画像要素またはその近傍領域のみをスキャンして解析すれば、その画像要素に関連する関連情報へのアクセスを行い得るようになる。
【０００６】
【特許文献１】特開平１１−２０３３８１号公報
【特許文献２】特開２００１−１７７７１２号公報
【発明の開示】
【発明が解決しようとする課題】
【０００７】
このようにハイパーリンクにアクセス可能なようにして文書を印刷する技術は提案されているが、特許文献１に記載の技術では、文書の体裁情報が崩れてしまいので、適用できる文書が限られるという欠点がある。また、特許文献２に記載の技術では、参照情報の画像要素への埋め込みにあたって、特許第２９５８３９６号明細書で開示されているような特殊な情報埋め込み方法を用いるが、この埋め込み情報の読み出しにあたって、専用のデコードソフトとリーダーが必要になり、リーダーを所有していないユーザは利点を享受できないという不都合が生じる。
【０００８】
また、一般的に公知の手法として、印刷文書のヘッダーあるいはフッターにその電子文書へのＵＲＬを表記するという手法がある。この場合、ユーザがハイパーリンク先の情報にアクセスしたい場合、ブラウザにＵＲＬを入力して元の電子文書をモニタ上に提示し、ユーザが内容を閲覧して目的のハイパーリンクに辿り着くことになる。
【０００９】
しかし、この公知の手法では、次のような課題がある。まず、電子文書の内容が多い場合（印刷すると数ページにもなる場合）には、ＵＲＬによって導かれる電子文書の先頭から目的のハイパーリンクに辿り着くまでに時間がかかる。つまり、目的のハイパーリンクが電子文書におけるレイアウトの最後の方にある場合、電子文書の上から下まで画面をスクロールして探さなければならない。また、ＵＲＬ先の情報が更新されて、印刷文書とは異なる電子文書になってしまった場合、目的のハイパーリンクに辿り着けなくなってしまう。よって、本発明は、ハイパーリンク付き電子文書を印刷する際、印刷した紙文書からハイパーリンク先の情報に確実に辿れることを可能にする技術を提供することを目的とする。
【課題を解決するための手段】
【００１０】
本発明はこのような目的を達成するために成されたものである。すなわち、本発明は、所定の情報へアクセスできるハイパーリンクが付された電子情報を印刷する際、印刷した紙文書からハイパーリンク先の情報へ辿れるようにする情報処理装置において、紙文書の用紙サイズと対応した電子情報のページイメージと略同一のハイパーリンク付きページ文書を生成するページ文書生成手段と、ページ文書生成手段で生成されたハイパーリンク付きページ文書に固有のページ識別情報を付けて管理するページ文書管理手段と、ハイパーリンク付きページ文書を印刷出力するにあたり、ページ文書管理手段で管理されるハイパーリンク付きページ文書ページと対応したページ識別情報を出力画像の所定の位置に重畳して出力するページＩＤ重畳手段とを備えている。
【００１１】
このような本発明では、ハイパーリンク付き電子情報（情報全体のもの）を印刷する際の用紙サイズと対応したハイパーリンク付きページ文書（ページ単位のもの）とページ識別情報とを対応付けて管理し、ハイパーリンク付きページ文書を印刷する際、そのページ識別情報を所定の位置に重畳しているため、このページ識別情報を用いてハイパーリンク付きページ文書を読み出すことで、目的のハイパーリンクが付された電子情報をページ単位で取得できるようになる。
【００１２】
また、本発明は、所定の情報へアクセスできるハイパーリンクが付された電子文書を印刷する際、印刷した紙文書からハイパーリンク先の情報へ辿れるようにする情報処理装置において、紙文書の用紙サイズと対応した電子情報のページイメージと略同一のハイパーリンク付きページ文書を生成するページ文書生成手段と、ページイメージに含まれるハイパーリンクとそのハイパーリンクが付けられている文書要素とを抽出する文書要素抽出手段と、ページ文書生成手段で生成されたハイパーリンク付きページ文書に固有のページ識別情報を付けてハイパーリンクと文書要素とを管理する文書要素管理手段と、ハイパーリンク付きページ文書を印刷出力するにあたり、ページ文書管理手段で管理されるハイパーリンク付きページ文書ページと対応したページ識別情報と文書要素の用紙上での位置を特定するエリアマークとを出力画像の所定の位置に重畳して出力するページＩＤ重畳手段とを備えている。
【００１３】
このような本発明では、ハイパーリンク付き電子情報（情報全体のもの）を印刷する際の用紙サイズと対応したハイパーリンク付きページ文書（ページ単位のもの）とそのハイパーリンクが付けられている文書要素とをページ識別情報と対応付けて管理し、ハイパーリンク付きページ文書を印刷する際、そのページ識別情報と文書要素の用紙上での位置を特定するエリアマークとを所定の位置に重畳しているため、このページ識別情報とエリアマークとを用いて所望のハイパーリンク付きページ文書における限定されたエリアの文書要素を読み出すことができ、その文書要素から目的のハイパーリンク先へ迅速にアクセスできるようになる。
【００１４】
また、本発明は、所定の情報へアクセスできるハイパーリンクが付された電子情報を印刷する際、印刷した紙文書からハイパーリンク先の情報へ辿れるようにする情報処理方法において、紙文書の用紙サイズと対応した電子情報のページイメージと略同一のハイパーリンク付きページ文書を生成する工程と、生成したハイパーリンク付きページ文書に固有のページ識別情報を付けて管理する工程と、ハイパーリンク付きページ文書を印刷出力するにあたり、そのハイパーリンク付きページ文書ページと対応したページ識別情報を出力画像の所定の位置に重畳して出力する工程とを有する。
【００１５】
このような本発明では、ハイパーリンク付き電子情報（情報全体のもの）を印刷する際の用紙サイズと対応したハイパーリンク付きページ文書（ページ単位のもの）とページ識別情報とを対応付けて管理し、ハイパーリンク付きページ文書を印刷する際、そのページ識別情報を所定の位置に重畳しているため、このページ識別情報を用いてハイパーリンク付きページ文書を読み出すことで、目的のハイパーリンクが付された電子情報をページ単位で取得できるようになる。
【００１６】
また、本発明は、所定の情報へアクセスできるハイパーリンクが付された電子文書を印刷する際、印刷した紙文書からハイパーリンク先の情報へ辿れるようにする情報処理方法において、紙文書の用紙サイズと対応した電子情報のページイメージと略同一のハイパーリンク付きページ文書を生成する工程と、ページイメージに含まれるハイパーリンクとそのハイパーリンクが付けられている文書要素とを抽出する工程と、生成したハイパーリンク付きページ文書に固有のページ識別情報を付けてハイパーリンクと文書要素とを管理する工程と、ハイパーリンク付きページ文書を印刷出力するにあたり、そのハイパーリンク付きページ文書ページと対応したページ識別情報と文書要素の用紙上での位置を特定するエリアマークとを出力画像の所定の位置に重畳して出力する工程とを有する。
【００１７】
このような本発明では、ハイパーリンク付き電子情報（情報全体のもの）を印刷する際の用紙サイズと対応したハイパーリンク付きページ文書（ページ単位のもの）とそのハイパーリンクが付けられている文書要素とをページ識別情報と対応付けて管理し、ハイパーリンク付きページ文書を印刷する際、そのページ識別情報と文書要素の用紙上での位置を特定するエリアマークとを所定の位置に重畳しているため、このページ識別情報とエリアマークとを用いて所望のハイパーリンク付きページ文書における限定されたエリアの文書要素を読み出すことができ、その文書要素から目的のハイパーリンク先へ迅速にアクセスできるようになる。
【００１８】
また、本発明は、所定の情報へアクセスできるハイパーリンクが付された電子情報を印刷する際、印刷した紙文書からハイパーリンク先の情報へ辿れるようにする情報処理プログラムにおいて、紙文書の用紙サイズと対応した電子情報のページイメージと略同一のハイパーリンク付きページ文書を生成するステップと、生成したハイパーリンク付きページ文書に固有のページ識別情報を付けて管理するステップと、ハイパーリンク付きページ文書を印刷出力するにあたり、そのハイパーリンク付きページ文書ページと対応したページ識別情報を出力画像の所定の位置に重畳して出力するステップとを有する。
【００１９】
このような本発明では、ハイパーリンク付き電子情報（情報全体のもの）を印刷する際の用紙サイズと対応したハイパーリンク付きページ文書（ページ単位のもの）とページ識別情報とを対応付けて管理し、ハイパーリンク付きページ文書を印刷する際、そのページ識別情報を所定の位置に重畳しているため、このページ識別情報を用いてハイパーリンク付きページ文書を読み出すことで、目的のハイパーリンクが付された電子情報をページ単位で取得できるようになる。
【００２０】
また、本発明は、所定の情報へアクセスできるハイパーリンクが付された電子文書を印刷する際、印刷した紙文書からハイパーリンク先の情報へ辿れるようにする情報処理プログラムにおいて、紙文書の用紙サイズと対応した電子情報のページイメージと略同一のハイパーリンク付きページ文書を生成するステップと、ページイメージに含まれるハイパーリンクとそのハイパーリンクが付けられている文書要素とを抽出するステップと、生成したハイパーリンク付きページ文書に固有のページ識別情報を付けてハイパーリンクと文書要素とを管理するステップと、ハイパーリンク付きページ文書を印刷出力するにあたり、そのハイパーリンク付きページ文書ページと対応したページ識別情報と文書要素の用紙上での位置を特定するエリアマークとを出力画像の所定の位置に重畳して出力するステップとを有する。
【００２１】
このような本発明では、ハイパーリンク付き電子情報（情報全体のもの）を印刷する際の用紙サイズと対応したハイパーリンク付きページ文書（ページ単位のもの）とそのハイパーリンクが付けられている文書要素とをページ識別情報と対応付けて管理し、ハイパーリンク付きページ文書を印刷する際、そのページ識別情報と文書要素の用紙上での位置を特定するエリアマークとを所定の位置に重畳しているため、このページ識別情報とエリアマークとを用いて所望のハイパーリンク付きページ文書における限定されたエリアの文書要素を読み出すことができ、その文書要素から目的のハイパーリンク先へ迅速にアクセスできるようになる。
【発明の効果】
【００２２】
したがって、本発明によれば、ページ単位で印刷された紙文書から、その紙文書に付されたページ識別情報を用いてハイパーリンク付きページ文書を読み出すことができ、ページ単位で読み出されることから紙文書との見た目の対応がとれるとともに、そのページに付された所望のハイパーリンクを容易に見つけ出すことができ、ハイパーリンク先の内容に迅速かつ確実にアクセスすることが可能となる。
【発明を実施するための最良の形態】
【００２３】
以下、本発明の実施の形態を図に基づき説明する。
【００２４】
（第１実施形態）
図１は、本実施形態に係る情報処理装置に入力されるハイパーリンク付き電子文書の例を示す模式図である。電子文書は例えばＨＴＭＬ（Hyper Text Markup Language）形式のデータから成り、その中の文書要素１１等にはハイパーリンク（所定の情報へアクセスできるリンク情報が対応付け）が付けられたものがあり、その文書要素１１を選択することで関連する情報に辿り着けるようになっている。また、電子文書はディスプレイに表示された状態ではファイル単位で表示され、ディスプレイに表示されない部分は画面スクロールによって表示できるようになっている。
【００２５】
図２は、本実施形態に係る情報処理装置で出力される文書を紙に印刷したものを示す模式図である。図１に示した電子情報を用紙に印刷すると、各文書要素に付いていたハイパーリンクは直接的には失われてしまうが、用紙のヘッダーの右端に記載されたページＩＤ（ページ識別情報）により、以降説明する方法によって、ハイパーリンク先にアクセスできるようになっている。
【００２６】
図３は、本実施形態に係る情報処理装置のブロック図である。文書入力手段３１は、ハイパーリンク付き電子文書（以下、「電子文書」と言う。）の入力を受け付ける。全体制御手段３２は、前記電子文書からハイパーリンク付きページ文書（以下、「ページ文書」と言う。）を生成する。ここで、ページ文書とは、電子文書を紙文書として印刷する際の用紙サイズと対応してページ単位に構成されるファイルで、電子文書をページ単位に区分けした際のページイメージと略同一のレイアウトとなるものである。例えば、電子文書を印刷する際に４ページ分の紙文書が生成される場合、その電子文書から各ページレイアウトに対応した４つのページ文書が生成されることになる。
【００２７】
具体的には、電子文書がＨＴＭＬの場合、全体制御手段３２は所定のルールに基づいて、印刷ページ単位に割り付けて、かつ文書要素に該当するハイパーリンクを付けてページ文書を生成する。生成されたページ文書は、ハイパーリンク付きページ文書管理手段３３で、ページ単位で固有のＩＤ（ページ識別情報）を付けて管理される。
【００２８】
ページＩＤ重畳手段３４は、各印刷ページの所定位置（例えば、ヘッダー右端）にページ文書に対応したページＩＤを重畳する処理を行う。ページＩＤが重畳されたページ文書は印刷手段３５で用紙に印刷出力される。
【００２９】
ここで、ページＩＤは人間が可読できるテキスト形式で重畳される。例えば、図２のページＩＤ「01F423A3E1」はテキスト表現の１６進数であり、５ByteのＩＤである。５ByteのＩＤにより、約１兆ページの管理が可能となる。また、テキスト形式であることにより、ページＩＤを特別なリーダーによって読み込まなくても直接キーボード等の汎用入力手段で入力できるようになる。
【００３０】
図４は、ページ文書管理手段３３で管理されるテーブルデータを示す模式図である。各ページ文書には固有のＩＤ（ページ識別情報）が割り当てられて管理されている。図４に示す例では、一つのページ文書（ハイパーリンク付きページ文書）に４つのページＩＤが付与されている。これは、一つのページ文書を所定サイズの用紙に印刷する際、４ページ分に割り付けられることを示している。
【００３１】
図５は、本実施形態に係る情報処理装置の動作（情報処理方法）を説明するフローチャートで、ハイパーリンク付き電子文書が入力されて、印刷文書が出力されるまでの流れを示している。
【００３２】
先ず、文書入力手段３１によってハイパーリンク付き電子文書を入力する（ステップＳ１）。次に、入力したハイパーリンク付き電子文書を全体制御手段３２に送り、所定のルールに基づいて印刷ページ単位に割り付けて、かつ文書要素に該当するハイパーリンクを付けてハイパーリンク付きページ文書を生成する（ステップＳ２）。
【００３３】
次に、全体制御手段３２は、生成したハイパーリンク付きページ文書をハイパーリンク付きページ文書管理手段３３に送り、ページＩＤとともに格納して管理する（ステップＳ３）。次いで、ページＩＤ重畳手段３４は、各ページ文書の所定の位置に対応するページＩＤを重畳した印刷用データを生成し、それを印刷手段３５へ渡す（ステップＳ４）。そして、この印刷用データを用いて印刷手段３５で各ページ文書を用紙に印刷する（ステップＳ５）。印刷により、電子文書は各ページ単位（ページ文書）毎に紙文書として出力され、用紙の所定位置（例えば、右上の余白）には各ページ文書固有のページＩＤが付された状態となる。
【００３４】
次に、本実施形態の情報処理装置によって出力された印刷文書から、ハイパーリンクにアクセスする方法を説明する。図６は、ハイパーリンクにアクセスするためのサービスサイトのＷｅｂページである。このＷｅｂページの入力ボックスに、印刷文書のヘッダー右端に記載されたページＩＤをキーボード等によって入力して、「ＯＫ」ボタンを押すと、ページ文書管理手段３３から入力されてページＩＤに対応するページ文書を検索するようになっている。
【００３５】
図７は、ページＩＤ「01F423A3E1」に対応するハイパーリンク付きページ文書が、ブラウザに表示された様子を示す模式図である。このハイパーリンク付きページ文書は、図２に示した印刷文書の１ページ目と略同一の体裁であり、ユーザはどの文書要素のハイパーリンクをクリックすれば良いのか容易に認識可能である。
【００３６】
また、ユーザは例えば２ページ目の印刷文書に付されたページＩＤ「01F423A3E2」をＷｅｂページの入力ボックスに入力して「ＯＫ」ボタンを押すと、２ページ目と対応したページ文書がページ文書管理手段３３から読み出され、ディスプレイに表示される。つまり、ユーザは途中のページに対応したハイパーリンク付きの文書を直接参照でき、ディスプレイ表示を下方へスクロールすることなく即座に目的の文書要素のハイパーリンクを選択できるようになる。
【００３７】
（第２実施形態）
図８は、第２実施形態に係る情報処理装置で印刷した文書の例を示す模式図である。この印刷文書は、図１と同じハイパーリンク付き電子文書を第２実施形態に係る情報処理装置で印刷したものである。第１実施形態と異なる点は、ページ文書に対応したページＩＤ８１以外に、エリア番地８２から成るエリアマークがページの例えば右側および下側の余白部分に重畳印字されていることである。
【００３８】
図９は、第２実施形態に係る情報処理装置のブロック図である。第１実施例と異なる点は、全体制御手段９２で生成されたページ文書をページＩＤと対応させて管理するだけでなく、ハイパーリンクとそれが張られている文書要素を抽出し、エリア番地毎に管理することである。この管理を行う部分がハイパーリンク付き文書要素管理手段９３となる。
【００３９】
図１０は、ハイパーリンク付き文書要素管理手段９３で管理されるテーブルデータを示す模式図である。第１実施形態と同様に、各ページ文書にはページＩＤが割り当てられているとともに、ハイパーリンクが付されている文書要素を有するエリア番地を抽出し、そのエリア番地ごとに文書用途およびハイパーリンクのリンク先情報を管理する。例えば、ページＩＤ「01F423A3E1」においては、エリア番地「G1」と「G4」にあるハイパーリンクとそれが張られている文書要素を抽出し、各文書要素と対応するハイパーリンクを管理している。
【００４０】
図１１は、ハイパーリンクにアクセスするためのサービスサイトのＷｅｂページである。ユーザは、用紙に印刷されたページ文書を参照し、所望のハイパーリンクでリンク先へ辿りたい場合には、このＷｅｂページを用いてそのテキストボックス内にページ文書の付されたページＩＤと、所望のハイパーリンクが存在するエリア番地とをキーボード等によって入力して、「ＯＫ」ボタンを押す。これにより、文書要素管理手段９３より、該当するページ文書のエリア番地内にあるハイパーリンクとその文書要素を用いて、アクセス用Ｗｅｂページを生成するようになっている。
【００４１】
図１２は、ページＩＤ「01F423A3E1」のエリア番地「G1」に対応するアクセス用Ｗｅｂページが、ブラウザに表示された様子を示す模式図である。このハイパーリンク付きＷｅｂページには、ユーザが指定したページのエリア番地内にあるハイパーリンクが文書要素付きで表示されており、ユーザはどの文書要素のハイパーリンクをクリックすれば良いのか容易に認識可能となる。
【００４２】
なお、上記説明した動作は（情報処理方法）は、各工程をプログラムによって構成し、複写機内やコンピュータ内で実行する形式で実現することも可能である。
【図面の簡単な説明】
【００４３】
【図１】本実施形態に係る情報処理装置に入力されるハイパーリンク付き電子文書の例を示す模式図である。
【図２】本実施形態に係る情報処理装置で出力される文書を紙に印刷したものを示す模式図である。
【図３】本実施形態に係る情報処理装置のブロック図である。
【図４】ページ文書管理手段で管理されるテーブルデータを示す模式図である。
【図５】本実施形態に係る情報処理装置の動作（情報処理方法）を説明するフローチャートである。
【図６】ハイパーリンクにアクセスするためのサービスサイトのＷｅｂページの例を示す模式図である。
【図７】ページＩＤ「01F423A3E1」に対応するハイパーリンク付きページ文書が、ブラウザに表示された様子を示す模式図である。
【図８】第２実施形態に係る情報処理装置で印刷した文書の例を示す模式図である。
【図９】第２実施形態に係る情報処理装置のブロック図である。
【図１０】ハイパーリンク付き文書要素管理手段で管理されるテーブルデータを示す模式図である。
【図１１】ハイパーリンクにアクセスするためのサービスサイトのＷｅｂページの例を示す模式図である。
【図１２】ページＩＤ「01F423A3E1」のエリア番地「G1」に対応するアクセス用Ｗｅｂページが、ブラウザに表示された様子を示す模式図である。
【符号の説明】
【００４４】
３１…文書入力手段、３２…全体制御手段、３３…ハイパーリンク付きページ文書管理手段、３４…ページＩＤ重畳手段、３５…印刷手段
【図１】
2006121255.tif 000003
【図２】
2006121255.tif 000004
【図３】
2006121255.tif 000005
【図４】
2006121255.tif 000006
【図５】
2006121255.tif 000007
【図６】
2006121255.tif 000008
【図７】
2006121255.tif 000009
【図８】
2006121255.tif 000010
【図９】
2006121255.tif 000011
【図１０】
2006121255.tif 000012
【図１１】
2006121255.tif 000013
【図１２】
2006121255.tif 000014